【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
少なくとも１つのケーブルをはしごのラックに固定するための、はしごのラックに固定されるクレードルクランプブラケットであって、該クレードルクランプブラケットおよびはしごのラックの組立体は、
はしご足掛かりと、
第１部分、中間部分、前記第１部分に平行な隆起第２部分、および前記隆起第２部分から下方に伸びるフランジを有する細長いブラケットと、を備え、
前記第１部分は前記第１部分の中心に沿って位置するスロットを有し、
前記第２部分は前記ブラケットを補強するための少なくとも１つのガセットを有し、前記第２部分は、前記少なくとも１つのケーブルを支持し、且つ締め紐を受けて前記少なくとも１つのケーブルを前記ブラケットの第２部分に固定するように形成されており、
前記クレードルクランプブラケットおよびはしごのラックの組立体は、前記スロット内に受けられる保定具を備え、前記保定具は、前記第１部分に受けられた前記はしご足掛かりを係合する、クレードルクランプブラケットおよびはしごのラックの組立体。
【請求項２】
前記保定具が、垂直部材及び水平部材を有する、請求項１に記載のクレードルクランプブラケットおよびはしごのラックの組立体。
【請求項３】
前記保定具が、曲がった外面及びそこを通るねじ穴を有する、請求項１に記載のクレードルクランプブラケットおよびはしごのラックの組立体。
【請求項４】
少なくとも１つのケーブルをはしごのラックに固定するための、はしごのラックに固定されるクレードルクランプブラケットであって、該クレードルクランプブラケットおよびはしごのラックの組立体は、
はしご足掛かりと、
細長いスロット及び隆起部材を有するブラケットであって、前記細長いスロットは前記ブラケットの中心で前記ブラケットの長さに伸びた、ブラケットと、
前記細長いスロット内に配置された垂直部材及びそこを通る開口部を備えた水平部材を有する保定ブラケットと、
前記保定ブラケットの前記水平部材内の前記開口部を通じて伸びる締め具と、を備え、
前記はしご足掛かりは、前記保定ブラケットと前記隆起部材との間の前記ブラケット上に配置され、前記締め具が締められるにつれて、前記保定ブラケットの水平部材が前記はしご足掛かりに係合して、前記クレードルクランプブラケットを固定し、
これにより前記少なくとも１つのケーブルは、はしご足掛かりブラケット上に配置され、前記隆起部材は前記少なくとも１つのケーブルを支持し、締め紐は、前記少なくとも１つのケーブルを前記ブラケットの隆起部材に固定する、クレードルクランプブラケットおよびはしごのラックの組立体。
【請求項５】
前記ブラケットが前記細長いスロットと交差する複数の保定クリップスロットをさらに備え、前記クレードルクランプブラケットを、様々な幅を有するはしごのラックに用いることができるようにしている、請求項４に記載のクレードルクランプブラケットおよびはしごのラックの組立体。
【請求項６】
前記垂直部材が、前記保定クリップスロットの１つ内に配置される足を有する、請求項５に記載のクレードルクランプブラケットおよびはしごのラックの組立体。
【請求項７】
前記隆起部材が、ブラケット補強用の少なくとも１つのガセットを有する、請求項４に記載のクレードルクランプブラケットおよびはしごのラックの組立体。
【請求項８】
前記ブラケットが、前記隆起部材から下方に伸びるフランジをさらに備える、請求項４に記載のクレードルクランプブラケットおよびはしごのラックの組立体。
【請求項９】
前記保定ブラケットが、前記クレードルクランプブラケットを固定するために、前記はしご足掛かりを係合するための複数の接点を有する、請求項４に記載のクレードルクランプブラケットおよびはしごのラックの組立体。
【請求項１０】
クレードルクランプブラケットおよびはしごのラックの組立体であって、
はしご足掛かりと、
少なくとも１つのケーブルと、
第１部分、中間部分、および前記第１部分に平行な隆起第２部分を備える細長いブラケットであって、前記第１部分は前記はしご足掛かりを受け、前記はしご足掛かりは前記少なくとも１つのケーブル受ける、細長いブラケットと、を備え、
前記第１部分は、前記第１部分の中心に沿って位置するスロットを有し、
前記第２部分は前記ブラケットを補強するための少なくとも１つのガセットを有し、前記第２部分は、前記少なくとも１つのケーブルを支持し、且つ締め紐を受けて前記少なくとも１つのケーブルを前記ブラケットの第２部分に固定し、
前記クレードルクランプブラケットおよびはしごのラックの組立体は前記スロット内に受けられる保定具を備え、前記保定具は、前記第１部分上に受けられた前記はしご足掛かりと係合する、クレードルクランプブラケットおよびはしごのラックの組立体。
【請求項１１】
前記保定具が、垂直部材及び水平部材を有する、請求項１０に記載のクレードルクランプブラケットおよびはしごのラックの組立体。
【請求項１２】
少なくとも１つのケーブルをはしごのラックに固定するための、はしごのラックに固定されるクレードルクランプブラケットであって、該クレードルクランプブラケットおよびはしごのラックの組立体は、
はしご足掛かりと、
第１部分、中間部分、および前記第１部分に平行な隆起第２部分を備えるブラケットであって、前記第１部分がスロットを備える凹状領域を有するブラケットと、
前記凹状領域内に受けられるはしご足掛かりナットと、
前記凹状領域の前記スロットを通じて前記はしご足掛かりナットへと伸びる締め具及び前記締め具に係合する圧縮バネと、を備え、
前記ブラケットは、前記はしご足掛かりの下に配置され、且つ前記はしご足掛かりナットは、前記はしご足掛かりを係合するよう締められ、それにより前記クレードルクランプブラケットを前記はしごのラックに固定し、
これにより、前記少なくとも１つのケーブルは前記はしご足掛かり上に配置され、前記ブラケットの隆起第２部分は前記少なくとも１つのケーブルを支持し、締め紐が前記少なくとも１つのケーブルを前記隆起第２部分に固定する、クレードルクランプブラケットおよびはしごのラックの組立体。
【請求項１３】
前記スロット及び前記凹状領域が、前記ブラケットの第１部分の中心に配置される、請求項１２に記載のクレードルクランプブラケットおよびはしごのラックの組立体。
【請求項１４】
前記圧縮バネが、前記はしご足掛かりへの取り付けを容易にするために、前記締め具及び前記はしご足掛かりナットを直立状態に維持する、請求項１２に記載のクレードルクランプブラケットおよびはしごのラックの組立体。
【請求項１５】
前記凹状領域が、完全に圧縮された場合に、はしご足掛かりナットを前記はしご足掛かりのフランジ上に据え付けることができる前記圧縮バネを受ける、請求項１２に記載のクレードルクランプブラケットおよびはしごのラックの組立体。
【請求項１６】
前記はしご足掛かりナットが、曲がった外面を有し、前記はしご足掛かりナットが、前記はしご足掛かりナットの前記曲がった外面が前記はしご足掛かりのフランジと係合するまで前記締め具と共に回転し、それにより前記締め具が締め付けられるにつれて、前記はしご足掛かりナットを前記はしご足掛かりの前記フランジ上にクランプさせる、請求項１２に記載のクレードルクランプブラケットおよびはしごのラックの組立体。
【請求項１７】
前記はしご足掛かりナットが、前記はしご足掛かりナットを通じて伸びるねじ穴を含む、請求項１２に記載のクレードルクランプブラケットおよびはしごのラックの組立体。
【請求項１８】
前記ブラケットの第１部分が、前記ブラケットの第１部分の長さに伸びる第１主スロット、及び前記第１主スロットと交差し、且つ前記第１主スロットの遠位端に位置する第２スロットをさらに備える、請求項１２に記載のクレードルクランプブラケットおよびはしごのラックの組立体。
【請求項１９】
前記第１主スロット及び前記第２スロットは、前記ブラケットの第１部分内においてＴ型を形成する、請求項１８に記載のクレードルクランプブラケットおよびはしごのラックの組立体。
【請求項２０】
前記隆起第２部分が、前記ブラケット補強用の少なくとも１つのガセットを有する、請求項１２に記載のクレードルクランプブラケットおよびはしごのラックの組立体。
【請求項２１】
前記ブラケットが、前記隆起第２部分から下方に伸びるフランジをさらに備える、請求項１２に記載のクレードルクランプブラケットおよびはしごのラックの組立体。